(57)【要約】【課題】ワカサギ釣りの妙味である誘いや合わせの際に、釣り人の感性を十分に満足させながら、かつ部品点数を極めて少なくし、かつ安価な部材を活用して、低コストで製造可能な自動高速巻き上げとフリー落下の糸送りを可能とする電動リール及びそれを備えたワカサギ釣り竿を提供する。【解決手段】リール本体に電池収納部（２）と一体として形成した把持部（１）をもち、この把持部に電動モーター（４）を内蔵し、そのモーター軸（５）は持ち手から前方に向く方向、つまりモーターの軸回転が持ち手から見て時計方向もしくは反時計方向に回転するように把持部に配置され、電池の長手方向はモーター軸方向と一致し、ジョイント（６）は糸巻きスプール（９）と電動モーター軸（５）を直接連結させ、糸巻き回転方向が該モーター回転方向と同一かつ回転中心も同一になるように配置し、スプール、ジョイント、モーター及び電池部の中心軸が完全に一致するように構成することを特徴とする電動リール及それを備えた釣り竿。【選択図】図１
2012000063.tif 000002
【特許請求の範囲】
【請求項１】
釣り糸を巻きつける糸巻きスプールと該スプールを駆動する電動モーターと該モーターをオン／オフさせるスイッチと該モーターから該スプールに動力伝達を可能にするジョイントと容易な電池交換を可能にする機構とを備えた電動リールにおいて、
リール本体には電池収納部と一体として形成した把持部があり、この把持部に前記モーターを内蔵し、該モーター軸は持ち手から前方に向く方向、つまりモーターの軸回転が持ち手から見て時計方向もしくは反時計方向に回転するように把持部に配置され、電池の長手方向はモーター軸方向と一致させ、前記ジョイントは前記糸巻きスプールと該モーター軸を直接連結させ、糸巻き回転方向が該モーター回転方向と同一かつ回転中心も同一になるように配置し、スプール、ジョイント、モーター及び電池部の各中心軸が完全に一致するように構成することを特徴とする電動リール。
【請求項２】
前記ジョイント部に前記電動モーターと前記糸巻きスプールを連結／切り離しが可能なクラッチ機能をもたせ、該モーターのオン時にはジョイントを通じて、該スプールを該モーターと連結させることで糸巻きができ、該モーターのオフ時に該モーターと該スプールを切り離して錘と仕掛けを自然落下させ糸送りができることを特徴とする請求項１に記載の電動リール。
【請求項３】
電動リール付き釣り竿において、
該電動リールが請求項１〜２のいずれかに記載の電動リールであることを特徴とする電動リール付き釣り竿。
【請求項４】
前記電動リール付き釣り竿において、
該電動リール本体と穂先着脱部が完全に一つの筐筒に内蔵され、該穂先着脱部、前記スプール、前記ジョイント、前記モーター、前記電池部の中心軸が竿の長手方向にすべて一致するように配置されたことを特徴とする電動リール付き釣り竿。
【発明の詳細な説明】
【技術分野】
【０００１】
本発明は主としてワカサギ釣りに使用する電動リール及びそれを備えた釣り竿に関するものである。
【背景技術】
【０００２】
一般に、ワカサギ釣りには、長さ１ｍ前後の比較的短い竿が使用されている。釣り糸の扱いとしては、釣り竿の一部に手動のリールを後付けして釣り糸を巻き上げるタイプと、電動リールを竿の一部として組み込み釣り糸を電動で巻き上げるタイプとがある。
【０００３】
近年、各種の電動リール及び電動リール付きワカサギ釣り竿が市販されている。これらには、リール本体を把持部とすると同時に、把持部の先端に種々の穂先を着脱一体化できる工夫がなされている。この把持部を兼ねた電動リールは、糸巻きスプール、電動モーター、電池を収納しており、該モーターと該スプールの間にギヤ等を介したクラッチ機能をもち、該モーターを駆動力として該スプールに自動的に糸巻きをさせる。一方で、該クラッチ機能を切った際には、リールの糸巻きスプールが自由回転して、糸が送り出される方式になっている。これらの把持部を兼ねた電動リールは、筒状のものもあれば方形のものなど様々である（特許文献１、特許文献２、特許文献３、特許文献４、特許文献５）。
【０００４】
これら従前の電動リールは、いずれの場合も把持部内に竿の長手方向と直交した上下支持軸を取り付け、この支持軸周りに糸巻きスプールを嵌め込み、該スプールの回転方向を電動モーターの回転駆動方向と９０度変換させるギヤ乃至は変換ベルト等とを組み合わせる方式が主流である。このような構成では部品点数を減らす工夫にも関わらず、クラッチ機能を併せ持たせる為には複雑な構造にせざるを得ず、コスト高を招くことは不可避である。
【０００５】
さらには、電動モーターの駆動回転方向と糸巻きスプールの回転方向が９０度異なる為、必ずギヤ等による駆動方向変換を伴うことになり、該モーターの駆動力を効率的に利用する事が出来ず、使用する該モーターのパワーを強くする必要が生じ、その結果として強力な電池を採用しなければならないし、電池の耐用時間も短くなってしまう。
【０００６】
他方、モーター軸に糸巻きスプールを直結させる方式の電動リールも提案されている（特許文献６）が、モーターの主軸と竿の長手方向や電池部分の長手方向が９０度異なる為、把持部の構造が異形で竿の握りや操作バランスに難点がある。小魚の釣りに於いては、握り手の形状や操作バランス性は誘いや合わせに著しく影響を与える。把持部分の異形は、釣果もさる事ながら釣り人の妙趣をも著しく損なう。この観点から、把持部分の異形形状は甚だ好ましくない。把持部は、該部分を握る手に違和感がなく、操作バランスの優れた形状にする必要がある。
【０００７】
市販品や公開特許及び公開実用新案においては、電動リールの糸巻きスプールがモーター軸に直接連結していない場合、または直接連結させた場合のいずれに於いても、糸の進行方向とスプールへの巻き上げ／スプールからの糸送りの方向を一致させることに主眼が置かれている。また、自動化に拘りすぎるがゆえ複雑な構造にならざるを得ない状況が生まれ、製品の高コスト化が著しい。高い製品では市販価格が数万円に及ぶものまで存在するのが実情である。
【先行技術文献】
【特許文献】
【０００８】
【特許文献１】特開平１０−１９１８４４
【特許文献２】特許第４３９２６２７
【特許文献３】特開２００９−２４０２５２
【特許文献４】実用新案登録第１２５３００
【特許文献５】実用新案登録第３１４２１８５
【特許文献６】特開２００９−１１８８３９
【発明の概要】
【発明が解決しようとする課題】
【０００９】
庶民の冬の風物詩とも称され、気楽で手軽な釣りとして親しまれてきたワカサギ釣りが、最初の一歩である道具のしつらえでつまずかないように、電動リールおよび電動リール付き釣り竿が開発されてきた。他方でこの電動化が竿の高コスト化をまねき、庶民の釣りからかけ離れた事態をもたらしている。ワカサギ釣りの妙味である誘いや合わせの際に、釣り人の感性を十分に満足させながら、かつ部品点数を極めて少なくし、かつ安価な部材を活用して、低コストで製造可能な自動高速巻き上げとフリー落下の糸送りを可能とする電動リール及びそれを備えたワカサギ釣り竿を提供することこそが、ワカサギ釣りの分野において、いま重要になっている。即ち、電動化に加え、高バランス化、低コスト化こそが重要な命題である。
【００１０】
本発明の目的および課題は、従来の手巻きリール対比は勿論、最近の市販電動リール付き釣り竿よりバランスが良く、操作性に優れ、かつ高コスト化を極限まで排除した電動リールおよびそれを備えた釣り竿を提供し、それにより、一層釣趣を高め、庶民が楽しめるワカサギ釣りに資することにある。なお、本発明による電動リールおよびそれを備えた釣り竿は、ハゼやキス等の小物釣りに使うことも可能であることは言うまでもない。
【課題を解決するための手段】
【００１１】
本発明の請求項１に記載の電動リールは、釣り糸を巻きつける糸巻きスプール（９）と該スプールを駆動する電動モーター（４）と該モーターをオン／オフさせるスイッチ（３）と該モーターから該スプールに動力伝達を可能にするジョイント（６）と容易な電池交換を可能にする機構（１２）とを備える電動リールであり、リール本体には電池収納部（２）と一体として形成した把持部（１）があり、この把持部に前記モーター（４）を内蔵し、該モーター軸（５）は持ち手から前方に向く方向、つまりモーターの軸回転が持ち手から見て時計方向もしくは反時計方向に回転するように把持部に配置され、電池の長手方向はモーター軸方向と一致させ、前記ジョイント（６）は前記糸巻きスプール（９）と該モーター軸（５）を直接連結させ、糸巻き回転方向は該モーター回転方向と同一かつ回転中心も同一になるように配置し、スプール、ジョイント、モーター及び電池部の中心軸は完全に一致するように構成したことを特徴とする電動リールである。
【００１２】
本発明の請求項２に記載の電動リールは、前記ジョイント部に前記電動モーターと前記糸巻きスプールを連結／切り離しが可能なクラッチ機能をもたせ、該モーターのオン時にはジョイントを通じて、該スプールを該モーターと連結させることで糸巻きができ、該モーターのオフ時に該モーターと該スプールを切り離して錘と仕掛けを自然落下させ糸送りができることを特徴とする請求項１に記載の電動リールである。
【００１３】
本発明の請求項３に記載の電動リール付き釣り竿は、該電動リールが請求項１〜２のいずれかに記載の電動リールであることを特徴とする電動リール付き釣り竿である。
【００１４】
本発明の請求項４に記載の電動リール付き釣り竿は、該電動リール本体と穂先着脱部が完全に一つの筐筒に内蔵され、該穂先着脱部、前記スプール、前記ジョイント、前記モーター、前記電池部の中心軸が竿の長手方向にすべて一致するように配置されたことを特徴とする電動リール付き釣り竿である。
【００１５】
更に発明に使用する各部品は低コスト化という命題に対処すべく下記手段（１）〜（５）の組み合わせに鋭意留意することが好ましい。
（１）       電動モーターは特別なパワーを備えたものでなくてもよく、市販されている小型モーターを使用する。
（２）       電池部分は、主として普通の単ニ、単三・単四乾電池を１本乃至は2本を終日以上使用するが、単一乾電池を使用してもかまわない。
（３）       クラッチ機構は簡易にする。
（４）       モーターとスプールは可能な限りプラスチック製ジョイントで直結化する。
（５）       スプールは一般市販機器の部品を転用する。
【発明の効果】
【００１６】
（リール電動化に関わる効果）
【００１７】
本発明の請求項１に記載の電動リールは、スプールが電動モーターと直接連結されているだけでなく、同一回転方向、同一中心軸を持つためモーター出力がロス無くスプールに伝達される。結果として糸の進行方向が糸巻きスプール直前のガイドで９０度変更されてもガイドとの摩擦力を十分に凌ぐことが可能となる。実施例で示すように、４号錘（１５ｇ）〜１０号錘（３７．５ｇ）の負荷をかけても巻き上げ可能であり、通常ワカサギ釣りで使用される１号錘〜２号錘の負荷では極めて容易に高速巻き上げが可能である。また、スプール、ジョイント、モーター、電池の中心軸が同一なことに加えて電動モーターと電池以外の部品は全てプラスチック製なので軽量化が可能であり、スプールの自由回転を利用する糸送りも、モーターの持つ逆回転抵抗そのものに相当する重さ以上の錘で可能である。また、スプールが軽量なため、スプールの自由回転時の慣性モーメントは極めて小さい。その結果、糸送り出し時の意図せぬスプール回転不具合などによる糸がらみなどのトラブル、所謂バックラッシュあるいはバッククラッシュを起こすことが極めて少ない。表１のＡ型、及びＢ型の市販品電動品を採用すると０．３号の錘でも糸送りが可能となる。Ｃ型の市販電動品製品を採用すると２号錘以上でスプールは自由回転する。また。主要部品の、重心位置が同一軸上にある為、余分な上下左右の回転モーメントが極めて少ない。更に、ジョイントにクラッチ機能を備えさせていないので、構造が極めてシンプルである。この特質は、釣り竿と一体化したとき、釣り人が微少なアタリを即座に感知できるメリットを釣り人に与える。
【００１８】
本発明の請求項２に記載の電動リールは、使用されるモーターの特徴として逆回転抵抗力が大きいため、モーター回転がオフになっていても使用錘と仕掛けの重さでスプールが自由回転せず糸をフリー落下させる事が出来ない状態、つまりロック状態になるが、このロック状態を回避すべく、ジョイントにオン／オフのクラッチ機能を持たせたものである。このクラッチ機能によって、極端に軽い錘でも糸巻きスプールを自由回転可能に出来る。Ｃ型の市販電動品を使った電動リールに於いても０．３号錘以下でスプールを自由回転するようにできる。電動リールの機能としては、モータースイッチオンかつクラッチ機能オンの状態で巻上げ、モータースイッチオフ／クラッチオンのロック状態で誘いや合わせができ、モータースイッチオフ／クラッチオフの状態で糸送りができる。また、クラッチ機能を持たせるジョイントの外径をスプールの内径より微少に小さくすることでスプールを支える芯の役割を果たさせ、かつモーター軸に強固に結合固定させているので、スプールの回転の中心軸はモーター軸とほぼ完全一致し、スプール回転駆動に伴うブレや摩擦によるロスは極めて少なく、モーター音以外の音を発生させない静粛な電動リールとなる。後記する実施例で示した手動のクラッチ機構はジョイントとスプールの間をピンとピンホールの相互挿入／抜き取りの関係で機械的に結合／切り離しをする方法であるが、磁石／金属或いは磁石／磁石相互の関係を利用して結合／切り離しを行う方法も極めて簡単で有効である。勿論、より高度に自動化されたクラッチ機能を付与することも可能である。後記する実施例に記載した電動リールは手動的要素つまり手操作はあるが、従来の後付けリールの場合に一般的に行っていた手操作と同様な操作であり全く違和感がない。むしろ、釣り人がリール操作を行っている実感を従来通り得ることが出来る点で、より釣り妙趣を高める効果がある。
【００１９】
本発明の請求項３に記載の電動リール付き釣り竿は、穂先着脱部を請求項１または請求項２に記載の電動リールに設けるものなので、極めて容易に製造が可能である。穂先取り付け部を把持部の製造時に一体成型しても良いし、把持部に後で接着させても良いので、各種穂先を自由に選択できるメリットがあり、製造の選択と工夫を拡大できる。各種異なるキットを揃える事で釣り人の楽しみをさらに増すことも可能である。
【００２０】
本発明の請求項４に記載の電動リール付き釣り竿は、穂先着脱部、スプール、ジョイント、モーター、電池部などの主要部分は勿論、モータースイッチやガイドなどの全部品が完全に一つの筐筒内に取り付けられ、主要部品の中心軸が竿の長手方向に完全に一致するように配置されるので、把持部に余分な左右上下の回転モーメンが生じない。ワカサギが懸かった時の竿先に懸かる負荷モーメント以外に外乱が入らないので、誘い、合わせといったワカサギ釣りの釣趣が一層向上する。更に一つの筐筒に全部品が封じ込まれているので糸絡みを防止する点でも優れている。該筐筒の外径や電池の種類は特に限定されるわけではないが、該筐筒の外径は１５ｍｍΦ以上から30ｍｍΦ以下が望ましい。この寸法範囲は、市販小型モーターと市販電池を活用できる利便性とワカサギのような長時間にわたる小魚釣りにおいて、重要な握り心地良さが保証できるからである。
（コストに関わる効果）
【００２１】
以下に、本発明で低コスト化のために工夫した基本事項に付いて、その効果を示し、実現性を説明する。表１に、本実施例で採用した重要部品、即ち電動モーターとモーター軸とスプールを繋ぐジョイントと押圧スイッチを備えた市販電動部品の特徴を示す。本発明の最大の課題である低コスト化に大きく貢献できるものとして３種類の市販製品を選択している。表１中のＡ型市販電動製品は、外観や電池部の密閉性、防水性に極めて優れていて、モーターの逆回転抵抗は小さい。電源として単三電池１個使用のため、巻き上げトルク（パワー）は他の２点に比べて弱い。ただし、４号錘でも十分に巻き上げ可能であり、実用に十分に耐え得る。価格面では３点中では高いが、実売価格１０００円以下で市販されおり、従来の市販電動リールに比べると、低コスト化に十分な効果を期待できる事を示している。Ｂ型市販電動製品はペン型形状と密閉性に優れ、更には電池に単四電池２個使用のため巻き上げトルク（パワー）にも優れている。モーターの逆回転抵抗は小さい。実売価格は５００円以下と低コスト化に非常に有効である。Ｃ型市販電動製品は密閉性にやや難があるがコンパクトで手の平に納まるサイズである為、非常に扱い易い。モーター軸とのジョイント部分も他の２点同様にリールとの接続がし易い適切な形態を持つ。巻き上げトルク（パワー）は大きい上、価格の低さが極めて魅力的である。ただ、モーターの逆回転抵抗が大きいのでワカサギ用電動リールとしてはスプールとモーターを繋ぐジョイントにクラッチ機能を持たせる事が望ましい。以上３つの市販電動製品の特性から明らかなように、ギヤ変換等に複雑なクラッチ機構を付与しなくても高性能な電動リールを完成できれば低コスト化が可能なことである。
【表１】
2012000063.tif 000003
【００２２】
次にジョイントとスプール間にクラッチ機能を付与する為の部品選定についての一例を記述し、低コスト化の実現性を説明する。糸巻きスプールにはミシン編み機のボビンを用いている。内径が上記市販電動部品のジョイント外径と一致するので僅かな研磨や接着剤塗布などの微調整で容易にスプールとジョイントのスムースな接合／離散を達成でき、クラッチ機能やスプールの円滑な自由回転を容易に付与することが可能である。図８に、ミシンボビンと市販電動部品のジョイントの組み合わせ方法を示す。クラッチ作製にはせいぜいミシン用ボビンが１．５個あれば可能なことが判る。ミシンボビンは市販価格でも１０円／個程度であるから、従来の電動リールに比べると、材料コストは極めて僅かである。
以上のように、極めて低コストのクラッチが可能なのは、図１の基本構成図に示した如く把持部にモーターを内蔵し、モーター軸は持ち手から前方に向く方向、つまりモーターの軸回転が持ち手から見て時計方向もしくは反時計方向に回転するように把持部に配置され、電池の長手方向はモーター軸方向と一致させ、ジョイントは糸巻きスプールとモーター軸を直接連結させ、糸巻き回転方向が該モーター回転方向と同一かつ回転中心も同一になるように配置し、スプール、ジョイント、モーター及び電池部の中心軸が完全に一致するように構成しているからである。
【図面の簡単な説明】
【００２３】
【図１】本発明の基本構成を示す側面の断面図で、請求項１に記載の基本構成図
【図２】本発明の請求項２に記載の電動リールの側面断面を示す構成図
【図３】本発明の請求項２に記載のクラッチ付きジョイントの一例で、ジョイント、リール、モーターの連結関係を示したクラッチ構造模式図
【図４】本発明の請求項３に記載した電動リール付き釣り竿の構成図で、電動リールのジョイントがクラッチ機能を持たない実施例の側面断面図
【図５】本発明の請求項３に記載した電動リール付き釣り竿の構成図で、電動リールのジョイントがクラッチ機能を持つ実施例の側面断面図
【図６】本発明の請求項４に記載した電動リール付き釣り竿の構成図で、電動リールのジョイントがクラッチ機能を持たない実施例の側面断面図
【図７】本発明の請求項４に記載した電動リール付き釣り竿の構成図で、電動リールのジョイントがクラッチ機能を持つ実施例の側面断面図
【図８】市販品を用いたクラッチ付きジョイント作製事例
【図９】Ａ型市販電動品を用いて造った請求項１記載の電動リール（実施例１）の各部品図と完成図
【図１０】Ｂ型市販電動品を用いて造った請求項１記載の電動リール（実施例２）の各部品図と完成図
【図１１】Ｃ型市販電動品を用いて造った請求項１記載の電動リール（実施例３）の各部品図と完成図
【図１２】Ａ型市販電動品を用いて造った請求項２記載の電動リール（実施例４）のクラッチ構造図と完成図
【図１３】Ｂ型市販電動品を用いて造った請求項２記載の電動リール（実施例５）のクラッチ構造図と完成図
【図１４】Ｃ型市販電動品を用いて造った請求項２記載の電動リール（実施例６）のクラッチ構造図と完成図
【図１５】Ａ型市販電動品を用いて造った請求項３記載の電動リール付き釣り竿（実施例７）
【図１６】Ｃ型市販電動品を用いて造った請求項３記載の電動リール付き釣り竿（実施例８）
【図１７】Ｃ型市販電動品を用いて造った請求項３記載の電動リール付き釣り竿（実施例９）（超軟調子穂先を取り付けた実施例）
【図１８】請求項４記載の電動リール付き釣り竿（実施例１０）        （Ｂ型電動商品を活用した請求項１記載の電動リール内蔵）
【図１９】請求項４記載の電動リールを具備した釣り竿（実施例１１）        （Ｂ型電動商品を活用した請求項２規定の電動リール内蔵）
【図２０】請求項４記載の電動リールを具備した釣り竿（実施例１２）        （Ｃ型電動商品を活用した請求項２記載の電動リール内蔵）
【発明を実施するための形態】
【００２４】
以下に明請求項１に記載の実施例を市販の電動製品を活用することで作製し、その特徴を説明するが、必ずしも市販電動製品あるいは部品を活用する必要は無く、本発明は下記の実施例に何ら限定されるものではない。各実施例それぞれの優れた特徴、メリットを網羅するようにあらかじめ各部品を用意し、請求項１に記載の如く組み込めば低コスト、高性能、高機能、高操作性の電動リールとなるのは明らかである。
【実施例１】
【００２５】
請求項１に基づく具体的な形態として実施例１を図９ａと図９ｂを用いて説明する。図９ａは、表１中のＡ型の市販電動製品を用いて簡単な加工を加えて造った実施例１の各部品である。部品点数が極めて少ない事が判る。図９ｂは実施例１の完成電動リール図である。機密性が高く防水性に優れるのが特徴である。モーターの逆回転抵抗力が小さい為モーターのスイッチをオフにすれば使用錘と仕掛けの重さで糸送りが可能なメリットを有する。実際、０．５号錘でも自由にスプールが回転するのでジョイントにクラッチ機能を持たせなくとも糸送りができる長所をもつ。釣りの途中で電池不足になっても手尻部分に電池交換可能なキャップがあるので極めて簡単に、かつ素早く電池を交換できる。本実施例１は、当然、請求項１に記載の電動リール、即ち図１の側面断面図を基本とするようにスプール、ジョイント、モーター、電池が一直線にならびかつ中心線が完全に一致させるように構成されている。よって、モーターの回転とスプールの回転が完全に同期して同じ方向に回転し、モーターの駆動力が１００％スプールに伝達させるように構成されていることは明白である。
【実施例２】
【００２６】
請求項１に基づく具体的な形態として実施例２を図１０ａと図１０ｂを用いて説明する。図１０ａは、表１中のＢ型の市販電動商品を用いて簡単な加工を加えて造った実施例２の各部品である。この場合も部品点数が極めて少なくて済むことが判る。図１０ａは実施例２の完成電動リール図である。モーターの逆回転抵抗力が小さい為、モーターのスイッチをオフにすれば使用錘と仕掛けの重さで糸送りが可能なメリットを有する。実際、０．３号錘でも自由にスプールが回転するのでジョイントにクラッチ機能を持たせなくとも糸送りができる長所をもつ。一方、単４電池２本を直列に繋ぐので巻き上げトルクが強く、１０号錘でも巻き上げることが出来ると共に更なるメリットとして把持部が円筒形状なので握り易さの点でも非常に優れている。スイッチはタッチタイプなので、オン／オフの機敏性にも優れる。電池交換も手尻部分に電池交換可能なキャップがあるので極めて簡単にかつ素早く電池を交換できる。本実施例２も当然、請求項１記載の電動リール、即ち図１の側面断面図を基本とするようにスプール、ジョイント、モーター、電池が一直線にならびかつ中心線が完全に一致させるように構成されている。よってモーターの回転とスプールの回転が完全に同期して同じ方向に回転し、モーターの駆動力が１００％スプールに伝達させるように構成されることは明白である。
【実施例３】
【００２７】
請求項１に基づく具体的な形態として実施例３を図１１ａと図１１ｂを用いて説明する。図１１ａは、表１中のＣ型の市販電動製品を用いて簡単な加工を加えて造った実施例３の各部品である。この場合も部品点数が極めて少なくて済む。図１１ｂは、実施例３の完成電動リール図である。活用した電動製品の最大の特徴は、極めて低価格な上、性能上ではモーターの回転トルクが極めて高く１３号錘でも巻き上げが可能なことであり、かつ単４電池が２本直列に配置されているにも関わらず非常にコンパクトなことである。このパワーとコンパクトさは該電動リールを実際の竿に取り付けたときに広い応用展開を可能にする。スイッチはタッチタイプなのでオン／オフの機敏性に優れる。ただ、電動モーターの逆回転抵抗力が強いので２号錘以上でないとモーターのスイッチをオフにしてもモーターがロック状態になり、スプールが自由回転しない。本実施例３も当然、請求項１記載の電動リール、即ち図１の側面断面図を基本とするようにスプール、ジョイント、モーター、電池が一直線にならびかつ中心線が完全に一致させるように構成されている。よって、モーターの回転とスプールの回転が完全に同期して同じ方向に回転し、モーターの駆動力が１００％スプールに伝達させるように構成されることは明白である。
【００２８】
以下に、請求項２に記載の実施例を市販の電動製品を活用することで作製し、その特徴を説明するが、必ずしも市販電動製品あるいは部品を活用する必要は無く、本発明は下記の実施例に何ら限定されるものではない。実施例に採用されたクラッチ機構はジョイントとスプールにそれぞれ付与されたピンとピンホールでマッチング、すなわち位置合わせが容易に出来、簡単な指操作で相互の結合と切り離しが可能になる一例にすぎない。また図３に示すようにピン／ピン穴とスプール／ジョイントの組み合わせも４通りの形態が可能でどの形態を選択するかには、何ら制限はない。更にピンの数は１個以上有れば何個でも構わないがマッチングのとり易さからは１個が望ましく、安定性を考慮するなら２個が望ましい。手動のクラッチ機能としてピン／ピンホールの関係を利用する以外に磁石／磁石或いは磁石／金属を採用したクラッチも可能である。つまり、例示された構造はあくまでも手動のクラッチ構造の一つで有って他の構造を採用してもなんら差し支えない。
【実施例４】
【００２９】
請求項２に基づく具体的な形態として実施例４を図１２ａと図１２ｂを用いて説明する。図１２ａは表１中のＡ型の市販電動製品を用いて簡単な加工を加えて造った実施例４のスプールとジョイント部分を合体させたクラッチ構造図であり、スプールに１個のピンを設け、ジョイントの対応位置に１個のピン穴を設けて造ったスプール／クラッチ付きジョイントの相互関係を示す。図１２ｂはこの完成電動リール図である。電動リールのジョイント部分にミシン用のボビンそのものを結合して手動のクラッチ機能を持たせだけである。実際にはミシンのボビン側面には１ｍｍΦ相当の穴が空いているので、スプール側面にピンを接着させ、ジョイントには他のボビンを接着させただけである。本実施例４は、当然、請求項２に記載の電動リール、即ち図２の側面断面図を基本とするようにスプール、クラッチ付きジョイント、モーター、電池が一直線にならびかつ中心線が完全に一致させるように構成している。よって、モーターの回転とスプールの回転が完全に同期して同じ方向に回転し、モーターの駆動力が１００％スプールに伝達させるように構成されることは明白である。
【実施例５】
【００３０】
請求項２に基づく具体的な形態として実施例５を図１３ａと図１３ｂを用いて説明する。図１３ａは表１中のＢ型の市販電動製品を用いて簡単な加工を加えて造った実施例５のスプールとジョイント部分を合体させたクラッチ構造図であり、スプールに１個のピンを設け、ジョイントの対応位置に１個のピン穴を設けて造ったスプール／クラッチ付きジョイントの相互関係を示す。図１３ｂはこの完成電動リール図である。電動リールのジョイント部分にミシン用のボビンそのものを結合して手動のクラッチ機能を持たせだけである。実際にはミシンのボビン側面には１ｍｍΦ相当の穴が空いているので、スプール側面にピンを接着させ、ジョイントには他のボビンを接着させただけである。本実施例５も当然請求項２に記載の電動リール、即ち図２の側面断面図を基本とするようにスプール、クラッチ付きジョイント、モーター、電池が一直線にならびかつ中心線が完全に一致させるように構成している。よって、モーターの回転とスプールの回転が完全に同期して同じ方向に回転し、モーターの駆動力が１００％スプールに伝達させるように構成されることは明白である。
【実施例６】
【００３１】
請求項２に基づく具体的な形態として実施例６を図１４ａと図１４ｂを用いて説明する。図１４ａは表１中のＣ型の市販電動製品を用いて簡単な加工を加えて造った実施例６のスプールとジョイント部分を合体させたクラッチ構造図であり、スプールに１個のピンを設け、ジョイントの対応位置に１個のピン穴を設けて造ったスプール／クラッチ付きジョイントの相互関係を示す。図１４ｂはこの完成電動リール図である。電動リールのジョイント部分にミシン用のボビン半切り分を結合して手動のクラッチ機能を持たせだけである。実際にはミシンのボビン側面には１ｍｍΦ相当の穴が空いているので、スプール側面にピンを接着させ、ジョイントには半切りボビンを接着させただけである。本実施例６も当然請求項２に記載の電動リール、即ち図２の側面断面図を基本とするようにスプール、クラッチ付きジョイント、モーター、電池が一直線にならびかつ中心線が完全に一致させるように構成している。よって、モーターの回転とスプールの回転が完全に同期して同じ方向に回転し、モーターの駆動力が１００％スプールに伝達させるように構成されることは明白である。
【００３２】
以下に、請求項３に記載の電動リール付き釣り竿の実施例を説明する。該電動リール付き釣り竿の穂先着脱部には高剛性を持たせることが大切である。それは、魚が掛かり糸を巻き上げる瞬時に穂先部分に振動や揺動が発生するので、この揺れを抑え、糸巻き乱れを防止する為である。様々な形状の穂先着脱部や穂先に対応してキットを揃えることで多様な楽しみ方が可能になる。なお本発明は下記の実施例に何ら限定されるものではない。
【実施例７】
【００３３】
請求項３に基づく具体的な形態として実施例７を図１５を用いて説明する。図１５は実施例４の電動リ−ル本体の底部に軟調子の穂先を着脱可能にした事例である。穂先の長さや形状に応じて様々な工夫が可能である。基本構成は図５に示したようにスプールとモーターを繋ぐジョイントがクラッチ機能を保有しているが極めて単純な形態を持っている。
【実施例８】
【００３４】
請求項３に基づく具体的な形態として実施例８を図１６を用いて説明する。図１６は実施例６の電動リ−ル本体の底部に軟調子の穂先を着脱可能にした事例で、全長３０ｃｍ以下という非常にコンパクトな短竿に仕上げた事例である。基本構成は図５に示したようにスプールとモーターを繋ぐジョイントがクラッチ機能を保有しているが極めて単純な形態を持っている。
【実施例９】
【００３５】
請求項３に基づく具体的な形態として実施例９を図１７を用いて説明する。図１７は実施例８と同じ電動リールの底部に板バネタイプの短い穂先を取り付けた実施例で、当然に穂先着脱部は板バネタイプの穂先を差込んで挟みつけ固定可能にしてある。極めて微小なアタリを捉える釣り、即ち釣り妙趣に拘る志向の釣りに対応可能なことを示した実施例である。
【００３６】
以下に請求項４に記載の電動リール付き釣り竿の実施例を説明する。該電動リール付き釣り竿は、電動リール本体はもちろん穂先着脱部も含め全部品を１本の筐筒すなわち把持部に納め、該筐筒の中心に竿先に発生するモーメントを集中させることを特徴とする。穂先着脱部には様々な形状や特性を持つ穂先の着脱が可能である。本発明は様々な組合わせが可能であり下記の実施例に何ら限定されるものではない。
【実施例１０】
【００３７】
請求項４に基づく具体的な形態として実施例１０を図１８を用いて説明する。図１８は実施例２の電動リ−ル本体と穂先着脱部を同じ筐筒に内蔵させ、極めて軟調子の板バネ式穂先を取り付けた完成図である。図６は該実施例の側面断面図であり、明らかに電動リール本体と穂先着脱部が１本の筐筒内に納まり、該各部品の中心軸が筐筒の中心線と一致していることが判る。該実施例１０ではモーターの逆回転抵抗力が小さいのでモータースイッチをオフにするだけで糸送りが出来る。誘いや合わせ時には、覗き窓から見えるスプールを人差し指等で軽く抑えながら行うか糸止めを筐筒のどこかに設ければ良い。
【実施例１１】
【００３８】
請求項４に基づく具体的な形態として実施例１１を図１９を用いて説明する。図１９は実施例５の電動リ−ル本体と穂先着脱部を同じ１本の筐筒に内蔵させた完成図である。外観は実施例１０と極めて類似しているが電動リール本体のジョイントがクラッチ機能を有している点で異なる。図７は該実施例の側面断面図であり、明らかに電動リール本体と穂先着脱部が１本の筐筒内に納まり、該各部品の中心軸が筐筒の中心線と一致していることが判る。該実施例１１でもモーターの逆回転抵抗力が小さいのでモータースイッチをオフにするだけで糸送りが出来るが糸巻き時にはモーターと共にクラッチもオンにする必要がある。誘いや合わせ時には、覗き窓から見えるスプールを人差し指等で軽く抑えながら行うか糸止めを筐筒のどこかに設ければ良い。
【実施例１２】
【００３９】
請求項４に基づく具体的な形態として実施例１２を図２０を用いて説明する。図２０は実施例６の電動リ−ル本体と穂先着脱部を同じ１本の筐筒に内蔵させた完成図である。該実施例の側面断面は図７で示される。該実施例はＣ型電動製品のような極めて廉価な市販電動製品を活用した電動リールでも簡単な加工で穂先着脱部と一緒に一本の筐筒に内蔵させることが可能なことを示した実施例である。この実施例においては、モーターの逆回転力が大きく、ジョイント部がクラッチ機能を持つので、モータースイッチオフ／クラッチオンでスプールはロック状態になり、誘いや合わせ時にスプールを指等で抑えることや特別の糸止めは必要ない。また巻上げトルクが大きいので、大きな魚が複数懸かった時でも容易に糸の巻上げが可能である。更に極めて低価格で、把持部の全長が約２０ｃｍとコンパクトで、単４電池を２個搭載しても重さは約９０ｇと極めて軽量にできる。当然、竿の携帯は極めて便利である。
【００４０】
また上記記載の実施例１０、実施例１１、実施例１２の電動リール付き釣り竿の構成図６及び構成図７において、糸巻き手前のガイド位置をスプール下に示しているが、把持部が円筒なので、ガイド位置は、筐筒円周上の縦横上下何処でも良い。覗き窓は、誘いや合わせ時にスプールを指で抑える場合の操作窓も兼ねているが、同様に、その位置も、筐筒周上の何処でも良い。重要な点は主要な全部品の中心軸を一致するように配置し、握り手の中に一体として包み込むことが出来るようにすることである。
【００４１】
以上、本発明の実施例では市販電動製品を利用して作製した電動リールとそれを備えた電動リール付き釣り竿を示しているが、市販電動製品を前提に製造する必要は全く無く、全部品を予め準備して組み込む方法が効率的である。一つの例としては二つの半円柱プラスチックケーシングに各部品を配置し組み込み合体させる方法等で製作すれば手軽に製造可能である。プラスチックの半円柱ケーシングはモールドで精密成型できるので、該ケーシングを使えば、低コストで、より機密性、防水性、意匠性、装飾性に優れた電動リール付き釣り竿製造が可能になることは言うまでもない。
【符号の説明】
【００４２】
１    筐体（筐筒）
２    電池部
３    押圧スイッチ
４    小型電動モーター
５    モーター軸
６    （クラッチ付き）ジョイント
７    ピン穴
８    ピン
９    スプール
１０  ガイド
１１  糸
１２  電池交換用蓋栓
１３  穂先着脱部
１４  穂先
１５  リール止め
１６  加工前のミシン編み機スプール
１７  周サイズ縮小後のミシン編み機スプール
１８  周サイズ縮小、半切り後のミシン編み機スプール
【図１】
2012000063.tif 000004
【図２】
2012000063.tif 000005
【図３】
2012000063.tif 000006
【図４】
2012000063.tif 000007
【図５】
2012000063.tif 000008
【図６】
2012000063.tif 000009
【図７】
2012000063.tif 000010
【図８】
2012000063.tif 000011
【図９】
2012000063.tif 000012
【図１０】
2012000063.tif 000013
【図１１】
2012000063.tif 000014
【図１２】
2012000063.tif 000015
【図１３】
2012000063.tif 000016
【図１４】
2012000063.tif 000017
【図１５】
2012000063.tif 000018
【図１６】
2012000063.tif 000019
【図１７】
2012000063.tif 000020
【図１８】
2012000063.tif 000021
【図１９】
2012000063.tif 000022
【図２０】
2012000063.tif 000023
【手続補正書】
【提出日】平成22年6月24日(2010.6.24)
【手続補正１】
【補正対象書類名】明細書
【補正対象項目名】００２１
【補正方法】変更
【補正の内容】
【００２１】
以下に、本発明で低コスト化のために工夫した基本事項に付いて、その効果を示し、実現性を説明する。表１に、本実施例で採用した重要部品、即ち電動モーターとモーター軸とスプールを繋ぐジョイントと押圧スイッチを備えた市販電動部品の特徴を示す。本発明の最大の課題である低コスト化に大きく貢献できるものとして３種類の市販製品を選択している。表１中のＡ型市販電動製品は、外観や電池部の密閉性、防水性に極めて優れていて、モーターの逆回転抵抗は小さい。電源として単三電池１個使用のため、巻き上げトルク（パワー）は他の２点に比べて弱い。ただし、４号錘でも十分に巻き上げ可能であり、実用に十分に耐え得る。価格面では３点中では高いが、実売価格１０００円以下で市販されおり、従来の市販電動リールに比べると、低コスト化に十分な効果を期待できる事を示している。Ｂ型市販電動製品はペン型形状と密閉性に優れ、更には電池に単四電池２個使用のため巻き上げトルク（パワー）にも優れている。モーターの逆回転抵抗は小さい。実売価格は５００円以下と低コスト化に非常に有効である。Ｃ型市販電動製品は密閉性にやや難があるがコンパクトで手の平に納まるサイズである為、非常に扱い易い。モーター軸とのジョイント部分も他の２点同様にリールとの接続がし易い適切な形態を持つ。巻き上げトルク（パワー）は大きい上、価格の低さが極めて魅力的である。ただ、モーターの逆回転抵抗が大きいのでワカサギ用電動リールとしてはスプールとモーターを繋ぐジョイントにクラッチ機能を持たせる事が望ましい。以上３つの市販電動製品の特性から明らかなように、ギヤ変換等に複雑なクラッチ機構を付与しなくても高性能な電動リールを完成できれば低コスト化が可能なことである。
【表１】
2012000063.tif 000024
【手続補正２】
【補正対象書類名】図面
【補正対象項目名】全図
【補正方法】変更
【補正の内容】
【図１】
2012000063.tif 000025
【図２】
2012000063.tif 000026
【図３】
2012000063.tif 000027
【図４】
2012000063.tif 000028
【図５】
2012000063.tif 000029
【図６】
2012000063.tif 000030
【図７】
2012000063.tif 000031
【図８】
2012000063.tif 000032
【図９】
2012000063.tif 000033
【図１０】
2012000063.tif 000034
【図１１】
2012000063.tif 000035
【図１２】
2012000063.tif 000036
【図１３】
2012000063.tif 000037
【図１４】
2012000063.tif 000038
【図１５】
2012000063.tif 000039
【図１６】
2012000063.tif 000040
【図１７】
2012000063.tif 000041
【図１８】
2012000063.tif 000042
【図１９】
2012000063.tif 000043
【図２０】
2012000063.tif 000044
【手続補正書】
【提出日】平成22年7月1日(2010.7.1)
【手続補正１】
【補正対象書類名】明細書
【補正対象項目名】００２１
【補正方法】変更
【補正の内容】
【００２１】
以下に、本発明で低コスト化のために工夫した基本事項に付いて、その効果を示し、実現性を説明する。表１に、本実施例で採用した重要部品、即ち電動モーターとモーター軸とスプールを繋ぐジョイントと押圧スイッチを備えた市販電動部品の特徴を示す。本発明の最大の課題である低コスト化に大きく貢献できるものとして３種類の市販製品を選択している。表１中のＡ型市販電動製品は、外観や電池部の密閉性、防水性に極めて優れていて、モーターの逆回転抵抗は小さい。電源として単三電池１個使用のため、巻き上げトルク（パワー）は他の２点に比べて弱い。ただし、４号錘でも十分に巻き上げ可能であり、実用に十分に耐え得る。価格面では３点中では高いが、実売価格１０００円以下で市販されおり、従来の市販電動リールに比べると、低コスト化に十分な効果を期待できる事を示している。Ｂ型市販電動製品はペン型形状と密閉性に優れ、更には電池に単四電池２個使用のため巻き上げトルク（パワー）にも優れている。モーターの逆回転抵抗は小さい。実売価格は５００円以下と低コスト化に非常に有効である。Ｃ型市販電動製品は密閉性にやや難があるがコンパクトで手の平に納まるサイズである為、非常に扱い易い。モーター軸とのジョイント部分も他の２点同様にリールとの接続がし易い適切な形態を持つ。巻き上げトルク（パワー）は大きい上、価格の低さが極めて魅力的である。ただ、モーターの逆回転抵抗が大きいのでワカサギ用電動リールとしてはスプールとモーターを繋ぐジョイントにクラッチ機能を持たせる事が望ましい。以上３つの市販電動製品の特性から明らかなように、ギヤ変換等に複雑なクラッチ機構を付与しなくても高性能な電動リールを完成できれば低コスト化が可能なことである。
【表１】
2012000063.tif 000045